(57)【要約】  抽出装置（１０）の上部に回転可能に設けられたカバー部材（３８）を含む抽出装置（１０）において特に有用なクロージャ機構（１８）。スライダー部材（３６）はカバー部材（３８）の内部キャビティ（５６）内にスライド可能に設けられ、内部キャビティ（５６）の外側へ延伸可能な１以上のタブ（７４、７６、７８）を有する。抽出装置（１０）は、カバー部材（３８）が閉じた場合にタブ（７４、７６、７８）を受容する１以上のレセプタクル（８０、８２、８４）を有する。カバー部材（３８）の上部の蓋部材（３２）は、リンク部材（３４）を介してタブ（７４、７６、７８）をレセプタクル（８０、８２、８４）に押し入れてもよい。リリースアーム（８６）は抽出装置（１０）の中に設けられ、カバー部材（３８）が閉じられたときにスライダー部材（３６）のタブ（７６、７８）をレセプタクル（８０、８２）に解放可能に保持する少なくとも一つのブロッカー（９２、９４）を有する。
2009504227.tif 000002
【特許請求の範囲】
【請求項１】
装置のためのクロージャ機構であって、
前記装置の上部に解放位置と閉鎖位置との間で回転可能に配置され、内部キャビティを有するカバー部材と、
前記カバー部材の前記内部キャビティ内にスライド可能に配置され、前記内部キャビティの外側に延伸可能な第１のタブを有するスライダー部材であって、前記装置が、前記カバー部材が前記閉鎖位置にあるときに前記スライダー部材の前記第１のタブを受容するための第１のレセプタクルを有する、スライダー部材、
とを含み、
リリースアームが前記装置の中に配置され、前記リリースアームが、前記カバー部材が前記閉鎖位置にあるときに前記スライダー部材の前記第１のタブを前記第１のレセプタクルに解放可能に保持する第１のブロッカーを有することを特徴とするクロージャ機構。
【請求項２】
前記スライダー部材が、前記カバー部材の前記内部キャビティの外側に延伸可能な第２のタブを有し、前記装置が、前記カバー部材が閉鎖位置にあるときに前記スライダー部材の前記第２のタブを受容するための第２のレセプタクルを有することを特徴とする請求項１に記載のクロージャ機構。
【請求項３】
前記リリースアームが、前記カバー部材が前記閉鎖位置にあるときに前記スライダー部材の前記第２のタブを前記第２のレセプタクルに解放可能に保持する第２のブロッカーを有することを特徴とする請求項２に記載のクロージャ機構。
【請求項４】
前記スライダー部材が、前記カバー部材の前記内部キャビティの外側に延伸可能な第３のタブを有し、前記装置が、前記カバー部材が前記閉鎖位置にあるときに前記スライダー部材の前記第３のタブを受容するための第３のレセプタクルを有することを特徴とする請求項３に記載のクロージャ機構。
【請求項５】
前記リリースアームが、前記装置の外側に配置されるリリースハンドルに接続され、前記リリースハンドルの使用を介してユーザーによる前記リリースアームの操作が可能となり、前記リリースアームの下方への移動により前記第１のブロッカーを動かして前記スライダー部材の前記第１のタブを解放することを特徴とする請求項１に記載のクロージャ機構。
【請求項６】
前記カバー部材と前記スライダー部材との間に機能することができるように配置されて、前記スライダー部材を前記内部キャビティ内で第１の位置にスライドさせるように付勢するスライダーバネをさらに含み、前記第１のブロッカーが前記スライダーバネの付勢に逆らって前記スライダー部材を第２の位置に解放可能に保持することを特徴とする請求項１に記載のクロージャ機構。
【請求項７】
前記カバー部材の上部に回転可能に配置された蓋部材及び該蓋部材に取り付けられたリンクをさらに含み、前記スライダー部材が、前記カバー部材に対する前記蓋部材の下方への回転が、前記リンク部材を介して前記スライダー部材を前記第１の位置から前記第２の位置へと移動させるように、前記リンク部材の第１端部を枢動可能に受容するためのシートをさらに含むことを特徴とする請求項６に記載のクロージャ機構。
【請求項８】
前記カバー部材が閉鎖位置にある場合を除いて、前記装置が作業を行なうのを防ぐように機能するリミットスイッチをさらに含むことを特徴とする請求項７に記載のクロージャ機構。
【請求項９】
前記カバー部材の上部に回転可能に配置された蓋部材及び前記スライダー部材に取り付けられたリンクをさらに含み、前記蓋部材が、前記カバー部材に対する前記蓋部材の下方への回転が、前記リンク部材を介して前記スライダー部材を前記第１の位置から前記第２の位置へと移動させるように、前記リンク部材の第２端部を枢動可能に受容するためのシートを含むことを特徴とする請求項６に記載のクロージャ機構。
【請求項１０】
抽出物質の供給を受けて抽出作業を行なう抽出室、及び前記抽出作業で形成された抽出液を分配するための注ぎ口を含む抽出ユニットと、
前記抽出室の上部に開放位置と閉鎖位置との間で回転可能に配置されたクロージャ組立体であって、前記クロージャ組立体が、
内部キャビティを有するカバー部材、及び、
前記カバー部材の前記内部キャビティの中にスライド可能に配置され、前記内部キャビティの外側に延伸可能な第１のタブを有するスライダー部材であって、前記抽出ユニットが、前記カバー部材が前記閉鎖位置にあるときに前記スライダー部材の前記第１のタブを受容するための第１のレセプタクルを有する、スライダー部材を含む、クロージャ組立体と、そして、
前記抽出ユニットに配置されたリリースアームであって、前記カバー部材が前記閉鎖位置にあるときに前記スライダー部材の前記第１のタブを前記第１のレセプタクルに解放可能に保持する第１のブロッカーを有するリリースアームと、
を含むことを特徴とする抽出装置。
【請求項１１】
前記スライダー部材が前記カバー部材の前記内部キャビティの外側に延伸可能な第２のタブを有し、前記抽出ユニットが、前記カバー部材が前記閉鎖位置にあるときに前記スライダー部材の前記第２のタブを受容するための第２のレセプラクルを有することを特徴とする請求項１０に記載の抽出装置。
【請求項１２】
前記リリースアームが、前記カバー部材が前記閉鎖位置にあるときに前記スライダー部材の前記第２のタブを前記第２のレセプタクルに解放可能に保持する第２のブロッカーを有することを特徴とする請求項１１に記載の抽出装置。
【請求項１３】
前記スライダー部材が、前記カバー部材の前記内部キャビティの外側に延伸可能な第３のタブを有し、前記抽出ユニットが、前記カバー部材が前記閉鎖位置にあるときに前記スライダー部材の前記第３のタブを受容するための第３のレセプラクルを有することを特徴とする請求項１２に記載の抽出装置。
【請求項１４】
前記カバー部材と前記スライダー部材との間に機能することができるように配置されて、前記スライダー部材を前記内部キャビティ内で第１の位置にスライドさせるように付勢するスライダーバネをさらに含み、前記第１のブロッカーが前記スライダーバネの付勢に逆らって前記スライダー部材を第２の位置に解放可能に保持することを特徴とする請求項１０に記載の抽出装置。
【請求項１５】
前記カバー部材の上部に回転可能に配置された蓋部材及び該蓋部材に枢動可能に取り付けられたリンクの一端部をさらに含み、前記スライダー部材が、前記カバー部材に対する前記蓋部材の下方への回転が、前記リンク部材を介して前記スライダー部材を前記第１の位置から前記第２の位置へと移動させるように、前記リンク部材の第２端部を枢動可能に受容するためのシートをさらに含むことを特徴とする請求項１４に記載の抽出装置。
【請求項１６】
前記カバー部材が前記閉鎖位置にある場合を除いて、前記抽出装置が抽出作業を行なうのを防ぐように機能するリミットスイッチをさらに含むことを特徴とする請求項１５に記載の抽出装置。
【請求項１７】
前記カバー部材の上部に回転可能に配置された蓋部材及び前記スライダー部材に取り付けられたリンクをさらに含み、前記蓋部材が、前記カバー部材に対する前記蓋部材の下方への回転が、前記リンク部材を介して前記スライダー部材を前記第１の位置から前記第２の位置へと移動させるように、前記リンク部材を枢動可能に受容するためのシートを含むことを特徴とする請求項１４に記載の抽出装置。
【請求項１８】
抽出液の蓄えを収容する抽出リザーバ及び該抽出リザーバから前記抽出室に延びる抽出液供給ラインを形成する１以上の液体導管をさらに含み、前記供給ラインの部分が、前記抽出ユニットから前記クロージャ組立体へ延びる可撓性チューブによって形成されることを特徴とする請求項１０に記載の抽出装置。
【請求項１９】
前記クロージャ組立体と前記抽出ユニットとの間に配置されるシールをさらに含むことを特徴とする請求項１８に記載の抽出装置。
【請求項２０】
前記供給ラインが、前記カバー部材の下及び前記抽出室の上に配置される分配プレートで終わることを特徴とする請求項１９に記載の抽出装置。
【発明の詳細な説明】
【技術分野】
【０００１】
本発明は抽出装置のためのクロージャ機構に関する。特に、コーヒーメーカー又はエスプレッソメーカーのような抽出４−４（brewing 4-4）を、抽出作業を行なうために迅速に及び簡単に閉じることのできる及びシールすることのできる構造に関する。かかる構造は抽出分野以外の分野へのさらなる適用性を有する可能性がある。
【背景技術】
【０００２】
抽出装置は周知である。かかる装置は、水又はその他の液体で抽出物質を混ぜる、つける、浸す、又は沸騰させることにより飲料を用意するために典型的に使用される。例えば、コーヒーは、グラインドしたコーヒー豆に温水を通過させることにより作られ、お茶は破砕されたお茶の葉を温水に浸す（seeping）ことにより作られ得る。同様に、抽出物質は、液状のコーヒー用クリーム（creamer）又はチョコレートなどの液体であってもよい。さらに一般的にいえば、抽出物質は、抽出作業に使用される抽出可能な固体、液体、粉末、濃縮物、又はその他の物質を含み得る。本明細書で使用するとき、「コーヒー」という用語は、プレーンなコーヒーだけでなく、例えばエスプレッソ、カプチーノ、モカ、カフェイン抜きのコーヒー等などの全ての別の形態のコーヒーを含む。
【発明の開示】
【発明が解決しようとする課題】
【０００３】
抽出装置を設計するときに直面する多くの課題の一つは、温水などの抽出液がシステムから流出して混乱を起こさないことを確実にすることである。これは、一度にカップ一杯分の飲料を迅速に抽出するために、一般に加圧下で作動するシングルカップ（single-cup）抽出装置に特に当てはまる可能性がある。抽出装置はさらに、装置を操作する人が抽出と抽出の間に抽出室にアクセスすることを可能とする必要がある。抽出作業を行なうためにコーヒー粉末などの抽出物質を入れ、抽出作業完了後に廃棄するために抽出物質を取り除くことができるように、操作する人は抽出室にアクセスする必要がある。エスプレッソが作られるときなど場合によっては、上昇した圧力で抽出液又は蒸気が抽出物質を通過することがあり、優れたシールの必要性が増加する。
【課題を解決するための手段】
【０００４】
コーヒーメーカー及びその他の抽出装置において特に有用なクロージャ機構を開示する。設計には、抽出装置の上部に開放位置と閉鎖位置との間で回転可能に配置されるカバー部材を含むクロージャ機構が組み込まれる。スライダー部材は、カバー部材の内側のキャビティ内にスライド可能に配置され、内部キャビティの外側に延伸可能な１以上のタブを有する。抽出装置は、カバー部材が閉鎖位置にあるときにスライダー部材のタブ（複数）を受容するための１以上の容器を有する。リリースアームは抽出装置内に枢動可能に配置され、カバー部材が閉鎖位置にあるときに容器内のスライダー部材の一つのタブを開放可能なように保持する、少なくとも一つのブロッカー（blocker）を有する。
【０００５】
この設計は抽出装置の迅速及び簡便な開閉を可能とし、ユーザーが抽出作業のために抽出室に抽出物質を入れる又は取り除くことを可能にする。記載されたクロージャ機構は、ユーザーが片手で少し力を入れるだけで操作し得ることが可能であるという点でさらに好都合である。
【０００６】
本発明の抽出機の設計のこれら及びその他の利点は、本発明の、発明を実施するための最良の形態によってさらに明らかになるであろう。
【発明を実施するための最良の形態】
【０００７】
ここで、様々な図を通して同様の参照符号が同様の部分を示す図面を参照すると、抽出装置の好ましい実施形態が示されている。
【０００８】
図１は抽出装置の一実施形態１０を示す。抽出装置１０は、水などの抽出液の供給を保持するためのリザーバ１２、抽出された飲料を用意する抽出ユニット１４、及びドリップトレイ１６を備える。リザーバ１２は抽出ユニット１４と分離した構成要素として示されているが、もう一つの方法として抽出ユニット１４の中にもちろん配置されてもよい。抽出ユニット１４は、クロージャ機構１８を解除するためのリリースハンドル１７（以下に詳述する）、抽出された飲料を分配するため注ぎ口（spout）２０、及び抽出作業の局面を制御する１以上の操作制御スイッチ又はボタン２２を含んでもよい。かかる局面は、例えば、抽出の持続時間及び抽出された飲料の分配される量を含んでよい。リザーバ１２は、リザーバ１２を抽出液で充填するのを容易にするために取り外し可能な蓋１２ａを有してもよい。図１においてクロージャ機構１８は閉鎖位置にある。
【０００９】
作動中、抽出装置１０は、抽出ユニット１４内の、抽出作業中のリザーバ１２からの抽出液の供給を利用して、コーヒーなどの抽出された飲料を製造する。次に抽出装置１０は、カップ又はドリップトレイ１６の上又は上方に配置されたその他の容器の中に、注ぎ口２０から抽出された飲料を分配する。当業者には明らかなように、この作業を達成するために抽出液供給線を形成する様々な導管が抽出装置１０の中に存在する。ドリップトレイ１６は、カップ又は容器を注ぎ口２０の下に配置せずに注ぎ口２０を介して誤って分配された抽出飲料、或いはカップ又は容器からこぼれた抽出飲料を受け止めて保持する。
【００１０】
図２及び２Ａは、説明を簡略化するために抽出ユニット１４から分離されたクロージャ機構１８を有する抽出装置１０を示す。以下にさらに説明するように、実際の使用に際しては、クロージャ機構１８の一般に３２で示される蓋及びカバー３８は、抽出ユニット１４のピン４０に回転可能に実装される。クロージャ機構１８を直立及び開放位置にした状態で、抽出装置１０を使用する人は抽出ユニット１４の中の抽出室２４にアクセスする。これにより、ユーザーが抽出作業を行なうために抽出物質の供給を抽出室２４に入れ、その後抽出作業が終了した後に抽出室２４から抽出物質を除去することが可能となる。図２Ａの実施形態では、これらの動作を容易にするため、及びさらにメインテナンスを容易にするため、抽出室２４は抽出ユニット１４から取り外すことのできる抽出バスケット２６を含んでもよい。典型的には、抽出物質は、１以上のフィルター材の上部にある抽出室２４の抽出バスケット２６の中に配置されるか、或いは抽出バスケット２６の中に一体として挿入されるフィルター材を囲むポッド（surrounding filter material pod）の中に完全に入れられる。例えば、図２には、抽出バスケット２６（図２Ａに図示）の上に配置され、抽出物質のポッドを保持するためのポッド保持器２５が示されている。抽出バスケット内のポッド保持器２５の配置により、抽出バスケットは図２では見ることができない。取り外しを容易にするために、ポッド保持器２５は任意にハンドル２５ａを含んでもよい。その形状如何に関わらず、フィルター材は、抽出プロセス全体を通して抽出物質を抽出室２４の中に収容し、一方で抽出液がフィルター材を通過して注ぎ口２０から出て行くのが可能であるように機能する。こうして、抽出物質がユーザーのカップに入る又は抽出室２４の下方のシステムに詰まるのを防ぐ。
【００１１】
抽出装置内の抽出作業は以下のように進行する。クロージャ機構１８を直立及び開放位置にした状態で、ユーザーは適量の抽出物質をフィルター材のポッドの上又はポッド内に保持される抽出室２４の中に入れ、次にクロージャ機構１８を閉める。抽出ユニット１４の電子制御モジュール（図示せず）は、抽出ユニット１４のポンプ（図示せず）を作動させて抽出液をリザーバ１２から移動させる。抽出液は抽出ユニット１４内のヒーター（図示せず）によって加熱される。続いて、暖められた抽出液が、加圧下で可撓性チューブ２８（図示せず）を通って、ポンプによって移動する。可撓性チューブ２８は、抽出ユニット１４の内部から出口ポート２７を介して延び、入り口ポート２９を介してクロージャ機構１８の中へと延伸している。分配プレート３０は、クロージャ機構１８の下面で抽出室２４の上側に取り付けられ、抽出液を抽出室２４の中に分散する。分配プレート３０は、例えば、ねじ付きねじ込み式接続、バイオネット接続、締まりばめ、又はその他任意の好適な接続方法によって、クロージャ機構１８と結合されてもよい。
【００１２】
熱い、加圧された水が分配プレート３０の１以上の開口部３０ａを通過して抽出室２４の中へと移行し、そこで抽出物質と反応して抽出飲料を形成する。前述のように、抽出室２４は、抽出物質のポッドを抽出室２４の上部に保持するための取り外し可能なポッド保持器２５を有利に含んでもよい。かかるポッド保持器２５は、例えば図２に示されている。分配プレート３０の周辺部の周囲に配置されるシール３１は、温水が、（回転（rotating）クロージャ機構１８の部分である）分配プレート３０と抽出ユニット１４の抽出室２４の上部周縁３３との間から、システムから漏れないことを確実にする。図２の実施形態では、上部周縁３３はポッド保持器２５によって形成される。シール３１は、例えばシリコーンゴムで有利に作られてもよい。抽出された飲料はフィルター材を通過し、抽出バスケット２６の底部に又は抽出バスケット２６に近接して配置された１以上の開口部を通って抽出室２４を出て行く。抽出ユニット１４の流体通路は、抽出された飲料を注ぎ口２０へと導き、そこから抽出された飲料がカップ又はその他の容器に分配されることが可能である。一旦抽出作業が完了すると、ユーザーはクロージャ機構１８を再度開けて抽出室２４にアクセスし、使用済みの物質及びフィルター物質を処分するために取り外すことができる。その結果抽出装置１０は、新たな抽出作業に備える。クロージャ機構１８は、付加的安全性のため、作業中の圧力下で該機構１８が開かないように設計され得る。
【００１３】
クロージャ機構１８のいくつかの構成要素が図３〜７に示される。クロージャ機構１８は、蓋３２の下面に回転可能に取り付けられたリンク３４を有する蓋３２を含む。クロージャ機構１８は、カバー３８の中央キャビティ部（central cavity）５６内に配置されるスライダー３６（図４）をさらに含む。（スライダー３６のみが図６〜７に示される。）クロージャ機構１８の蓋３２及びカバー３８は、抽出機構１４の後部の中の、ピン受け口４２に保持されるピン４０を受け止める１以上の開口部４１、４３を介して、それぞれ抽出ユニット１４に回転可能に実装される。図２に示されるように、１以上（the or more）のトーションバネ４４はピン４０の周囲に巻きつき、カバー３８のバネ受け口４６（図４）の中に収容される。バネ４４（１又は複数）はカバー３８、及びそれにより蓋３２をピン４０の周りで直立及び開放位置へと回転させる。
【００１４】
図３に示されるように、蓋３２は一般に、フラットトップ部分４８及びそこから下向きにつながっているスカート部分５０を含んでもよい。カバー３８は図２に示されるようにスカート部分５０の中に配置されてもよい。リンク３４は、蓋３２の下面のマウント５５内に回転可能に保持される。
【００１５】
図５に単独で図示されるカバー３８は、上部カバーモジュール３８ａ及び下部カバーモジュール３８ｂから有利に構成され、これらが互いに接合して完全なカバー３８を形成する。これにより、２つのモジュール３８ａ、３８ｂの間に配置されるスライダー３６との組み立てが容易になる。既に説明したように、チューブが抽出ユニット１４からクロージャ機構１８の内部に延び、温水を加圧下で抽出室２４へと移動させる。そのチューブは蓋３２とカバー３８との間を延びてカバー３８の中空拡張部５８に結合し、温水を中央キャビティ部を５６介してカバー３８へと運ぶ。スライダー３６は、拡張部５８（図４及び７）が通る細長いスロット３７を含む。中空拡張部５８の反対側を出た温水は分配プレート３０の上部に突き当たり、開口部３０ａを通って抽出室２４の中へと分配される。
【００１６】
スライダーバネ６０が図５及び６に図示されている。スライダーバネ６０は図のようにコイルバネであってもよいし、或いはリーフスプリング又は任意のその他の種類のバネであってもよい。スライダーバネ６０は、カバー３８の底面から上に向かってに延びるシート６２（図５に示される）とスライダー３６上の対応するシート６４（図６に示される）との間の中央キャビティ部５６内に配置される。スライダーバネ６０はスライダー３６を中央キャビティ部５６内前方へと促す。
【００１７】
図６〜７は、カバー３８の中央キャビティ部５６内に配置されてもよいスライダー３６を示している。スライダー３６は２つ以上のシート６６、６８を有してよく、それぞれのシートは、例えば図３〜４からわかるように、リンク３４のアーム７０、７２を受ける。スライダー３６はさらに、スライダー３６から外側に向かって突出する１以上のタブ７４、７６及び７８を有してもよい。図に示される好ましい実施形態において、前方側のタブ７４、７６は、カバー３８の対向側の開口７５、７７を通って突出する（ただし開口７７は図に示されていない）。したがって、タブ７４、７６は、抽出ユニット１４に配置された前方のＬ型レセプタクル８０、８２にそれぞれ取り外し可能に受容されることができる。図８は、縦部分８２ａと水平部分８２ｂがＬ型を形成していることを示す、Ｌ型レセプタクル８２の接写図である。レセプタクル８０は抽出ユニット１４の反対側と同様の形状である。スライダー３６の後部タブ７８もまたカバー３８の開口７９（図５）を通って延び、抽出ユニット１４の後部レセプタクル８４（図２）の中に取り外し可能に受容される。以下により完全に説明されるように、タブ７４、７６及び７８は、クロージャ機構１８を閉じた位置及びシール位置で保持するように機能する。
【００１８】
例えば図９〜１０に示されるように、リリースアーム８６は抽出ユニット１４の内側周辺部のまわりに延びてもよい。リリースアーム８６は、旋回軸線Ｐを画定する２つの回転ポイント８８、９０において抽出ユニット１４内に枢動可能に保持される。リリースアーム８６は、図１０に示される剛性結合（rigid attachment）などにより、その一方がリリースハンドル１７に機能することができるように結合される。リリースハンドル１７は、抽出ユニット１４を通って延びてその外部に位置する。１以上のリリースアームバネ（図示せず）は、軸線Ｐの周りを図１０に示される方向にリリースアーム８６を回転させるように機能し、リリースハンドル１７は抽出ユニット１４の外側の上部位置にバイアスされる。本明細書の説明はリリースアームバネの使用に焦点を当てているが、かかる参照は図示するためにのみなされており、説明がかかるバネに限定されるべきでないことは理解されるであろう。２つのブロッカー９２、９４がリリースアーム８６に組み込まれる。例えば図２及び図８に示されるように、ブロッカー９２、９４は、前方Ｌ型レセプタクル８０、８２の底部の開口部を通って、該レセプタクルまでそれぞれ延び、その中に入ることができる。以下により十分に説明されるように、ブロッカー９２、９４はスライダー３６の前方タブ７４、７６と協働してクロージャ機構１８をその閉じた位置及びシール位置で保持する。
【００１９】
クロージャ機構１８は以下の方法で操作される。初めに、ユーザーは抽出物の供給及びフィルター材を抽出室２４に定置する。抽出物質を収容しているフィルター材ポッドを使用する場合は、対応する寸法のポッドを抽出室２４に保持するために、異なる寸法の様々なポッド保持器が提供されてもよい。ユーザーは、トーションバネ４４のバイアスに逆らって蓋３２の前側を下向きに押して下方及び閉鎖位置に向けて回転させ、次に蓋３２が同様にカバー３８を押し下げる。クロージャ機構１８が下向きに回転するので、スライダー３６の前方タブ７４、７６は、前方Ｌ型レセプタクル８０、８２の縦部分８０ａ、８２ａの中に垂直に移動する。カバー３８は、シール３１がポッド保持器２５の上部周縁３３にほぼ接触した時点で回転を止める。その位置で、前方タブ７４、７６は、リリースアームバネのバイアスに逆らってブロッカー９２、９４をレセプタクル８０、８２の下方及び実質的に外へとずらす。したがって、タブ７４、７６はＬ型レセプタクル８０、８２の下側境界上又はその近傍に位置付けられる。
【００２０】
ユーザーが蓋３２を押し続けても、スライダー３６のタブ７４、７６とレセプタクル８０、８２の境界との間の干渉により、カバー３８がさらに下方に回転するのが防止される。このようにユーザーによって加えられた圧力は、蓋３２を回転させるがカバー３８を回転させない。蓋３２が下向きに回転するので、それまで蓋３２とカバー３８との間に垂れ下がっていただけのリンク３４がスライダー３６と嵌合する。さらに詳細には、リンク３４のアーム７０、７２がリンクシート６６、６８の中に受容される。
【００２１】
したがって、蓋３２は下方への進行を継続し、リンク３４は、スライダーバネ６０のバイアスに逆らってスライダー３６を後方に押して、カバー３８の中央キャビティ部５６中に押し込む。これによりスライダー３６の前方タブ７４、７６がＬ型レセプタクル８０、８２の水平部分８０ｂ、８２ｂの中に戻り、スライダー３６の後方タブ７８が後方レセプタクル８４の中に戻る。タブ７４、７６、７８との間のそれぞれの干渉及び抽出ユニット１４のセプタクル８０、８２、８４の上部の範囲を画定する部分が、バネ（複数）４４のバイアスに逆らってカバー３８を閉鎖位置に保持する。
【００２２】
スライダー３６がカバー３８内の最も後方位置に達したとき、リリースアーム８６が枢動可能に上方にバイアスされ、リリースアーム８６のブロッカー９２、９４がＬ型レセプタクル８０、８２の前方タブ７４、７６の前方に跳ね上がる。こうしてブロッカー９２、９４はレセプタクル８０、８２の水平部分８０ｂ、８２ｂの中の前方タブ７４、７６をブロックし、スライダー３６とカバー３８との間に配置されたスライダーバネ６０の前方へのバイアスに逆らって、スライダー３６を後方部分に捕捉し続ける。リリースアームバネはブロッカー９２、９４をこの垂直なブロック位置に保つ。一方、ユーザーは蓋３２を解放する。蓋３２、リンク３４、及びスライダー３６は、スライダーバネ６０がスライダー３６をおよそ２〜４ｍｍの短い距離前方に押し、その場所でタブ７４、７６がブロッカー９２、９４に接触するような寸法を有する。
【００２３】
蓋３２が閉じられたとき、蓋３２の前端に設置される金属バー９６と、抽出ユニット１４のバー９６付近に配置された磁石との間の磁気引張り処理（magnetic pull）によって、蓋３２が下方位置に保持されてもよい。バー９６は、閉じられた際にある程度の許容度の余地があるように蓋３２の中でバネ仕掛けであってもよい。もちろん、別の方法として磁石は、抽出ユニット１４に配置される金属構成要素を伴って蓋３２の上に配置されてもよい。
【００２４】
かかる締まりばめのさらに他の種類が図１１及び１２に示され、図３〜４のリンク３４及びスライダー３６の代替的実施形態を示している。図１１は、一般に２３４で示され、スライダー２３６のスロット２０２、２０４の中に嵌まるアーム７０、７２を有するリンクを示している。図３〜４の実施形態のように、リンク２３４は、スライダー２３６を受容するカバー３８の上部にある蓋３２の下面に回転可能に取り付けられる。しかしながら、図３〜４の実施形態とは異なり、リンク２３４のアーム７０、７２はそれぞれ突出しているタブを有するが、これらのタブのうち一方の２０６のみが図１１に示されている。タブはスロット２０２、２０４の側面の受容開口（receiving apertures）にパチンと嵌る。図１１には一方の受容開口２０８のみが示されている。これにより蓋３２とカバー３８との間の干渉連結がもたらされる。図１２はスライダー２３６の底部側を示す。ここに示されるように、いくつかのリブ２１２が底部２０に配置されて構造一体化が提供される。図３及び４の実施形態は同様にリブを有するが、リブは底部よりもスライダー３６の上部側に配置される。
【００２５】
クロージャ機構１８が閉鎖位置に保持された後、ユーザーは、例えば１以上の制御スイッチ２２を押し下げることにより抽出作業を開始させる。抽出作業が一旦完了すると、ユーザーは使用済みの抽出物質及びフィルター材を抽出室２４から取り除く必要がある。したがってユーザーはリリースハンドル１７を押し下げ、リリースアームバネの上側へのバイアスに逆らって、リリースアーム８６を軸線Ｐの周囲下側に回転させる。これによりブロッカー９２、９４が下方に動いてレセプタクル８０、８２のブロック位置から外れる。したがってスライダー３６は、スライダーバネ６０に付勢された場合、カバー３８の中央キャビティ部５６の中で前方に自由に動く。そうしたとき、前方タブ７４、７６はレセプタクル８０、８２の水平部分８０ｂ、８２ｂの中で前方に移動し、後方タブ７８は移動して後方レセプタクル８４から外れる。さらにスライダー３６は、シート６６、６８を介してリンク３４を前方に押す。これにより蓋３２は上方へ回転し、金属バー９６と、蓋３２を下方の閉鎖位置に保持していた磁石との間の磁気の引張り処理を克服する。一旦タブ７４、７６、７８がレセプタクル８０、８２、８４の拘束を除去すると、スライダー３６及びスライダー３６がその中に配置されているカバー３８は、トーションバネ（複数）４４に付勢された場合、上方に移動することが自由になる。クロージャ機構１８はこのように上方の開放位置に回転し、ユーザーは、抽出室２４から使用済み抽出物質及びフィルター材を取り除くことができる。抽出装置１０はこうして次の抽出作業に備える。
【００２６】
当業者であれば、クロージャ機構１８が閉じられ、操作位置になければ抽出作業が始動しないようにすることを確実にする様々な方法を承知しているであろう。一つの実施形態では、例えば図４に示されるようなリミットスイッチ９８を使用する。リミットスイッチ９８は在来型であり、例えば、伸展位では電気回路を破断し、押し下げられた状態では電気回路を接続するバネレバーアーム１００を有する。上で説明したように、クロージャ機構１８が完全な閉鎖位置にある場合、スライダー３６がカバー３８の中央キャビティ部５６内の後方部分を占める。したがって、例えば図４に示されるように、スライダー３６の上の２つのポスト１０２の上部にあるリミットスイッチ９８を、カバー３８の内側縁部に最も近い場所に定置した場合、スライダー３６が後方に移動するとバネレバーアーム１００がカバー３８によって押し下げられる。これにより、ポンプ、ヒーター、及びその他の作動構成要素が抽出作業を開始することが可能となる。スライダー３６が再度前方に移動するとすぐにバネレバーアーム１００が延び、したがって電気回路を破断して抽出作業の開始を妨げる。別の方法としては、リミットスイッチ９８がカバー３８に取り付けられて、スライダー３６がカバー３８の後方に移動したときに、スライダー３６の上の引き金表面（triggering surface）によって始動させられてももちろんよい。
【００２７】
本発明はその実施形態の説明によって例証され、また実施形態がかなり詳細に説明されてきたが、これによりクレームされる発明の範囲をかかる詳細に減縮又は制限することを決して意図していない。さらなる利点及び修正が当業者には容易に明らかであろう。例えば、リンク３４の設計を図に示される向きと反対にすることが可能であり、その結果リンク３４はカバー３８に回転可能に実装され、蓋３２の下側に設けられた１以上のシートに受容される。したがって、より広い観点における本発明は、図示され説明がなされた特定の詳細及び具体例に限定されない。したがって、一般的発明概念の精神又は範囲から離れることなくかかる詳細から発展させることが可能である。特に、本明細書において説明されるクロージャ機構を提供する装置の適用は抽出装置の枠を超えて、解放式で筺体密封されるのが望ましい多岐にわたる装置のいずれにも首尾よく適合させることが可能である。
【００２８】
本明細書に組み込まれ及び本明細書の一部を構成する添付図面において、抽出装置の実施形態が示されている。これらの図面は、上記の設計及び以下の発明を実施するための最良の形態と共に本発明の原理の例を提供する。
【図面の簡単な説明】
【００２９】
【図１】クロージャ機構、リザーバ、抽出ユニット、及びドリップトレイを含む抽出装置の一実施形態の上部斜視図。
【図２】クロージャ機構が抽出ユニットから分離している、図１の実施形態の上面斜視図。図２Ａはクロージャ機構が抽出ユニットから分離し、ポッド保持器が抽出ユニットから取り外された、図１の実施形態の上面斜視図である。
【図３】図２のクロージャ機構の一部を形成する、蓋及びリンクの一実施形態の底部斜視図。
【図４】図２のクロージャ機構の一部を形成する、カバーの内側に設けられたスライダーを有するカバーの一実施形態の上部斜視図。
【図５】図４に示されるスライダーが取り外された、図２のクロージャ機構の一部を形成するカバーの一実施形態の上部斜視図。
【図６】図２のクロージャ機構の一部を形成するスライダーの一実施形態の底部斜視図。
【図７】図６のスライダーの上部斜視図。
【図８】抽出ユニットのＬ型レセプタクルに焦点を当てた、図２に示される抽出ユニットの大写しの上部斜視図。
【図９】抽出ユニットのリリースアーム部分を見ることができるように抽出ユニットの内部構成要素のいくつがが図示されていない、図２に示される抽出装置のためのリザーバ、抽出ユニット、及びドリップトレイの上部斜視図。
【図１０】図９のリリースアームの一実施形態の上部斜視図。
【図１１】図３〜４に図示されるリンク及びスライダーの代替的実施形態の斜視図。
【図１２】図１１に図示される代替的スライダーの底面図。
【図１】
2009504227.tif 000003
【図２】
2009504227.tif 000004
【図３】
2009504227.tif 000005
【図４】
2009504227.tif 000006
【図５】
2009504227.tif 000007
【図６】
2009504227.tif 000008
【図７】
2009504227.tif 000009
【図８】
2009504227.tif 000010
【図９】
2009504227.tif 000011
【図１０】
2009504227.tif 000012
【図１１】
2009504227.tif 000013
【図１２】
2009504227.tif 000014
【国際調査報告】
2009504227.tif 000015
2009504227.tif 000016
2009504227.tif 000017
2009504227.tif 000018